(57)【要約】      （修正有）【課題】冷蔵庫と連携することにより、ユーザにとって利便性の高い情報を提供する。【解決手段】映像機器４０は、映像コンテンツと、映像コンテンツを説明するためのテキストを含む映像コンテンツ情報とを関連付けて格納する。また、貯蔵庫に保管されている物品の名称を示す庫内情報を取得する。さらに、画面上で再生する映像コンテンツ及び映像コンテンツに関連付けられた映像コンテンツ情報を格納手段から取得する。また、取得した庫内情報により示される物品の名称が、取得した映像コンテンツ情報により示されるテキストに含まれていることに応じて、テキストの少なくとも一部を強調した画面を作成する。さらに、作成した画面を、取得した映像コンテンツと共に表示する。【選択図】図２
2016133873.tif 000002
【特許請求の範囲】
【請求項１】
映像コンテンツと、当該映像コンテンツを説明するためのテキストを含む映像コンテンツ情報とを関連付けて格納する格納手段と、
貯蔵庫に保管されている物品の名称を示す庫内情報を取得する第１の取得手段と、
画面上で再生する映像コンテンツ及び当該映像コンテンツに関連付けられた映像コンテンツ情報を前記格納手段から取得する第２の取得手段と、
前記取得された庫内情報により示される物品の名称が、前記取得された映像コンテンツ情報により示されるテキストに含まれていることに応じて、当該テキストの少なくとも一部を強調した画面を作成する作成手段と、
前記作成された画面を、前記取得された映像コンテンツと共に表示する表示手段と
を具備する映像機器。
【請求項２】
前記作成手段は、前記取得された庫内情報により示される物品の名称が、前記取得された映像コンテンツ情報により示されるテキストに含まれている場合、当該テキストに含まれている物品の名称部分を強調した画面を作成する、請求項１に記載の映像機器。
【請求項３】
前記作成手段は、前記取得された映像コンテンツ情報により示されるテキストに含まれている物品の名称の文字の大きさ及び色のうちの少なくとも一方を他の文字とは変えることにより、当該物品の名称部分を強調した画面を作成する、請求項１に記載の映像機器。
【請求項４】
前記庫内情報は、貯蔵庫に保管されている物品の残量の情報を含み、
前記作成手段は、前記取得された映像コンテンツ情報により示されるテキストに含まれている物品の残量に応じて、当該物品の名称部分の強調方法を変える、請求項１に記載の映像機器。
【請求項５】
前記庫内情報は、貯蔵庫に保管されている物品の賞味期限を示す情報を含み、
前記作成手段は、前記取得された映像コンテンツ情報により示されるテキストに含まれている物品の賞味期限に応じて、当該物品の名称部分の強調方法を変える、請求項１に記載の映像機器。
【請求項６】
検索ワードに基づいて、前記格納された映像コンテンツを検索する検索手段と、
前記取得された庫内情報により示される物品の名称を前記検索ワードとして登録する登録手段と
をさらに具備する、請求項１に記載の映像機器。
【請求項７】
前記格納された映像コンテンツの一覧が前記表示手段により表示された場合に、前記取得された庫内情報により示される物品の名称に関連した映像コンテンツだけを前記一覧から抽出する抽出手段をさらに具備する、請求項１に記載の映像機器。
【請求項８】
前記格納された映像コンテンツの一覧が前記表示手段により表示された場合に、前記取得された庫内情報により示される物品の名称に関連した映像コンテンツが前記一覧の先頭に表示されるように前記一覧を整理する整理手段をさらに具備する、請求項１に記載の映像機器。
【請求項９】
コンピュータにより実行されるプログラムであって、前記プログラムは前記コンピュータを、
映像コンテンツと、当該映像コンテンツを説明するためのテキストを含む映像コンテンツ情報とを関連付けて格納する格納手段と、
貯蔵庫に保管されている物品の名称を示す庫内情報を取得する第１の取得手段と、
画面上で再生する映像コンテンツ及び当該映像コンテンツに関連付けられた映像コンテンツ情報を前記格納手段から取得する第２の取得手段と、
前記取得された庫内情報により示される物品の名称が、前記取得された映像コンテンツ情報により示されるテキストに含まれていることに応じて、当該テキストの少なくとも一部を強調した画面を作成する作成手段と、
前記作成された画面を、前記取得された映像コンテンツと共に表示する表示手段として動作させるためのプログラム。
【請求項１０】
前記作成手段は、前記取得された庫内情報により示される物品の名称が、前記取得された映像コンテンツ情報により示されるテキストに含まれている場合、当該テキストに含まれている物品の名称部分を強調した画面を作成する、請求項９に記載のプログラム。
【請求項１１】
前記作成手段は、前記取得された映像コンテンツ情報により示されるテキストに含まれている物品の名称の文字の大きさ及び色のうちの少なくとも一方を他の文字とは変えることにより、当該物品の名称部分を強調した画面を作成する、請求項９に記載のプログラム。
【請求項１２】
前記庫内情報は、貯蔵庫に保管されている物品の残量の情報を含み、
前記作成手段は、前記取得された映像コンテンツ情報により示されるテキストに含まれている物品の残量に応じて、当該物品の名称部分の強調方法を変える、請求項９に記載のプログラム。
【請求項１３】
前記庫内情報は、貯蔵庫に保管されている物品の賞味期限を示す情報を含み、
前記作成手段は、前記取得された映像コンテンツ情報により示されるテキストに含まれている物品の賞味期限に応じて、当該物品の名称部分の強調方法を変える、請求項９に記載のプログラム。
【請求項１４】
前記コンピュータを、
検索ワードに基づいて、前記格納された映像コンテンツを検索する検索手段と、
前記取得された庫内情報により示される物品の名称を前記検索ワードとして登録する登録手段としてさらに動作させる、請求項９に記載のプログラム。
【請求項１５】
前記コンピュータを、
前記格納された映像コンテンツの一覧が前記表示手段により表示された場合に、前記取得された庫内情報により示される物品の名称に関連した映像コンテンツだけを前記一覧から抽出する抽出手段としてさらに動作させる、請求項９に記載のプログラム。
【請求項１６】
前記コンピュータを、
前記格納された映像コンテンツの一覧が前記表示手段により表示された場合に、前記取得された庫内情報により示される物品の名称に関連した映像コンテンツが前記一覧の先頭に表示されるように前記一覧を整理する整理手段としてさらに動作させる、請求項９に記載のプログラム。
【発明の詳細な説明】
【技術分野】
【０００１】
本発明の実施形態は、映像機器及びプログラムに関する。
【背景技術】
【０００２】
近年、映像機器（例えば、スマートフォン、テレビ、タブレットなど）と連携可能なスマート家電が普及してきている。映像機器とスマート家電を連携させることで、ユーザは、例えば、スマート家電の電力使用量を、映像機器を通じて確認したりすることができる。
【０００３】
スマート家電の１つとして冷蔵庫（貯蔵庫）に注目すると、ユーザからの要望として、映像機器と冷蔵庫とを連携させることで、冷蔵庫内の食品に関連した映像コンテンツを見たい、冷蔵庫内の食品の状態を、映像機器を通じて確認したい、といった要望がある。
【先行技術文献】
【特許文献】
【０００４】
【特許文献１】特開２００４−８６６８４号公報
【発明の概要】
【発明が解決しようとする課題】
【０００５】
本発明の一形態の目的は、冷蔵庫と連携することにより、ユーザにとって利便性の高い情報を提供し得る映像機器及びプログラムを提供することにある。
【課題を解決するための手段】
【０００６】
実施形態によれば、映像機器は、格納手段と、第１の取得手段と、第２の取得手段と、作成手段と、表示手段とを備えている。前記格納手段は、映像コンテンツと、当該映像コンテンツを説明するためのテキストを含む映像コンテンツ情報とを関連付けて格納する。前記第１の取得手段は、貯蔵庫に保管されている物品の名称を示す庫内情報を取得する。前記第２の取得手段は、画面上で再生する映像コンテンツ及び当該映像コンテンツに関連付けられた映像コンテンツ情報を前記格納手段から取得する。前記作成手段は、前記取得された庫内情報により示される物品の名称が、前記取得された映像コンテンツ情報により示されるテキストに含まれていることに応じて、当該テキストの少なくとも一部を強調した画面を作成する。前記表示手段は、前記作成された画面を、前記取得された映像コンテンツと共に表示する。
【図面の簡単な説明】
【０００７】
【図１】実施形態に係るコンテンツ情報表示システムの概略構成例を示す模式図。
【図２】実施形態に係るコンテンツ情報表示システムの構成例を示す機能ブロック図。
【図３】冷蔵庫内食品情報のデータ構造の一例を示す模式図。
【図４】第１の実施形態に係る画面作成処理の手順の一例を示すフローチャート。
【図５】映像機器に表示される画面の一例を示す模式図。
【図６】映像機器に表示される画面の別の一例を示す模式図。
【図７】映像機器に表示される画面のさらに別の一例を示す模式図。
【図８】類語データのデータ構造の一例を示す模式図。
【図９】第２の実施形態に係る画面作成処理の手順の一例を示すフローチャート。
【図１０】映像機器に表示される画面の一例を示す模式図。
【発明を実施するための形態】
【０００８】
以下、実施の形態について図面を参照して説明する。  
＜第１の実施形態＞  
図１は、実施形態に係るコンテンツ情報表示システムの概略構成例を示す模式図である。コンテンツ情報表示システムは、図１に示すように、外部ストレージ１０と、冷蔵庫（貯蔵庫）２０と、サーバ装置３０と、映像機器４０とを含んでいる。各部１０〜４０の詳細については、図２と共に後述するため、ここではその詳しい説明は省略する。なお、図１では、映像機器４０として１つのタブレット及び２つのテレビを例示しているが、その他の映像機器がさらに含まれていても良い。また、後述する映像コンテンツは、これら複数の映像機器４０において共有可能なものであるとする。すなわち、一方のテレビにおいて録画された映像コンテンツは、他方のテレビ或いはタブレットに、ネットワークを介して適宜送出可能なものであるとする。
【０００９】
図２は、実施形態に係るコンテンツ情報表示システムの構成の一例を示す機能ブロック図である。コンテンツ情報表示システムは、図２に示すように、外部ストレージ１０と、冷蔵庫２０と、サーバ装置３０と、映像機器４０とを含んでいる。外部ストレージ１０は、映像コンテンツ（映像データ）や、当該映像コンテンツに関して記述された映像コンテンツ情報（メタデータ）を格納する記憶装置である。より詳しく説明すると、映像コンテンツ情報とは、映像コンテンツのタイトル（番組タイトル）や、映像コンテンツの説明文を示すテキストデータである。外部ストレージ１０としては、例えば、映像機器に取り付けられる外付けＨＤＤ（ハードディスク）や、映像コンテンツ配信会社所有のサーバ装置などが一例として挙げられる。外部ストレージ１０に格納された映像コンテンツや映像コンテンツ情報は、映像機器４０からの要求に応じて、映像機器４０に適宜送出される。
【００１０】
冷蔵庫２０は食品を保管するためのものである。但し、本実施形態に係る冷蔵庫２０は、ユーザの操作に応じて、後述する冷蔵庫内食品情報（庫内情報と称しても良い）が入力されると、これをサーバ装置３０に送出する機能を有した冷蔵庫である。ユーザは、例えば、冷蔵庫２０に設けられた入力インタフェースを用いて、或いは冷蔵庫２０に設けられたマイクを用いて冷蔵庫内食品情報を入力する。なお、冷蔵庫内食品情報は、例えば映像機器４０など、冷蔵庫２０とは異なる外部端末から入力されても良い。サーバ装置３０は、冷蔵庫２０と通信可能に接続されており、冷蔵庫内食品情報を格納する記憶装置である。サーバ装置３０に格納された冷蔵庫内食品情報は、ネットワークを介して、映像機器４０に適宜送出される。なお、冷蔵庫内食品情報については、後述する図３と共に説明するため、ここではその詳しい説明は省略する。また、サーバ装置３０は、冷蔵庫内食品情報が冷蔵庫２０とは異なる外部端末から入力される場合を考慮して、当該外部端末とも通信可能に接続される。
【００１１】
映像機器４０は、外部ストレージ１０に格納された映像コンテンツや、テレビ局から配信される映像コンテンツを画面上に表示可能なものであり、例えば、テレビやタブレットなどが一例として挙げられる。映像機器４０は、図２に示すように、内部ストレージ４１、入力部４２、映像コンテンツ処理部４３、映像コンテンツ情報処理部４４、冷蔵庫内食品情報取得部４５、画面作成部４６、画面合成部４７及び表示部４８を備えている。
【００１２】
内部ストレージ４１は、外部ストレージ１０と同様に、映像コンテンツや、当該映像コンテンツに関して記述された映像コンテンツ情報（メタデータ）を格納する記憶装置である。
【００１３】
入力部４２は、外部ストレージ１０やテレビ局、内部ストレージ４１から送出される映像コンテンツ及び映像コンテンツ情報の入力を受け付ける。また、入力部４２は、サーバ装置３０から送出される冷蔵庫内食品情報の入力を受け付ける。
【００１４】
映像コンテンツ処理部４３は、入力部４２に入力された映像コンテンツを取得し、当該取得した映像コンテンツに対して高画質化処理を実行する。高画質化処理とは、取得された映像コンテンツに含まれるノイズを除去するなどして、映像コンテンツの画質を高める処理である。高画質化処理が施された映像コンテンツは画面合成部４７に送られる。
【００１５】
映像コンテンツ情報処理部４４は、入力部４２に入力された映像コンテンツ情報を取得し、当該取得した映像コンテンツ情報に対してテキスト抽出処理を実行する。テキスト抽出処理とは、取得された映像コンテンツ情報により示されるテキストから画面作成に利用するテキストだけを抽出する処理である。テキスト抽出処理が施された映像コンテンツ情報は画面作成部４６に送られる。
【００１６】
冷蔵庫内食品情報取得部４５は、入力部４２に入力された冷蔵庫内食品情報を取得し、当該取得した冷蔵庫内食品情報を画面作成部４６が利用しやすい形態に変換して（例えば、不要なパラメータを削除するなどして）、これを画面作成部４６に送出する機能を有している。
【００１７】
画面作成部４６は、映像コンテンツ情報と、冷蔵庫内食品情報とに基づいて、映像コンテンツが再生される画面（バック画面）に重畳させる画面（フォア画面）を作成する画面作成処理を実行する。なお、画面作成処理については、後述する図４と共に説明するため、ここではその詳しい説明を省略する。画面作成部４６により作成されたフォア画面は画面合成部４７に送られる。
【００１８】
画面合成部４７は、映像コンテンツが再生されるバック画面とフォア画面とを合成し、画面上に表示させる表示画面を作成する処理を実行する。具体的には、画面合成部４７は、バック画面上にフォア画面を重畳させることで、表示画面を作成する。画面合成部４７により作成された表示画面は表示部４８に送られる。
【００１９】
表示部４８は、画面合成部４７から出力された表示画面を画面上に表示させる機能を有している。
【００２０】
図３は、実施形態に係る冷蔵庫内食品情報のデータ構造の一例を示す模式図である。冷蔵庫内食品情報は、図３に示すように、食品名、量、賞味期限、保管開始日時、前回使用日時、保管場所及び食品ジャンルを示す各種情報が関連付けられた情報である。この冷蔵庫内食品情報は、冷蔵庫２０に保管されている食品（物品）毎に設定される。食品名は、食品の名称を示す情報である。量は、関連付けられた食品名により示される食品の量を示す情報である。賞味期限は、関連付けられた食品名により示される食品の賞味期限を示す情報である。保管開始日時は、関連付けられた食品名により示される食品を冷蔵庫２０内に保管し始めた日時を示す情報である。前回使用日時は、関連付けられた食品名により示される食品を直近で使用した日時を示す情報である。保管場所は、関連付けられた食品名により示される食品を保管している場所を示す情報である。食品ジャンルは、関連付けられた食品名により示される食品のジャンルを示す情報である。
【００２１】
例えば、図３に示す冷蔵庫内食品情報５０によれば、「２０１４年６月２２日から冷蔵庫２０に保管されており、賞味期限が２０１４年１２月３１日であり、直近では２０１４年７月３日に使用され、調味料であるバター３ｇが冷蔵室の上段に保管されている」ことが示されている。なお、本実施形態では、冷蔵庫内食品情報は、食品名、量、賞味期限、保管開始日時、前回使用日時、保管場所及び食品ジャンルを示す各種情報が関連付けられた情報であるとしたが、例えば、前回使用した量を示す情報などがさらに関連付けられていても良い。
【００２２】
図４は、第１の実施形態に係る画面作成処理の手順の一例を示すフローチャートである。以下では、図４を参照して、画面作成部４６による画面作成処理の手順について説明する。
【００２３】
始めに、画面作成部４６は、冷蔵庫内食品情報取得部４５から送出された１以上の冷蔵庫内食品情報により示される食品の名称（食品名）のいずれかが、映像コンテンツ情報処理部４４から送出された映像コンテンツ情報により示されるテキストに含まれているかどうかを判定する（ブロック１００１）。なお、ブロック１００１の判定処理の結果、１以上の冷蔵庫内食品情報により示される食品の名称のいずれもが映像コンテンツ情報により示されるテキストに含まれていないと判定された場合（ブロック１００１のＮＯ）、画面作成部４６は、通常通り、映像コンテンツ情報を用いてフォア画面を作成し、作成したフォア画面を画面合成部４７に送出して（ブロック１００２）、ここでの処理を終了させる。
【００２４】
一方で、ブロック１００１の判定処理の結果、冷蔵庫内食品情報により示される食品の名称のいずれかが映像コンテンツ情報により示されるテキストに含まれていると判定された場合（ブロック１００１のＹＥＳ）、画面作成部４６は、映像コンテンツ情報により示されるテキストのうち、当該含まれていると判定された食品の名称を強調したフォア画面を作成し、作成したフォア画面を画面合成部４７に送出して（ブロック１００３）、ここでの処理を終了させる。なお、食品の名称を強調する方法としては、食品の名称の文字の大きさを他の文字の大きさとは変えたり、食品の名称の文字の色を他の文字の色とは変えたりする方法が考えられる。また、強調する食品の名称に関連付けられた量や賞味期限に応じて、食品の名称の強調方法を変えても良い。さらに、食品の名称を強調する方法としては、映像コンテンツ情報により示されるテキスト自体を強調する他に、例えば、食品の名称の近くに所定のアイコンやマークを付与するなどして、強調する方法も考えられる。
【００２５】
図５では、冷蔵庫内食品情報に含まれる食品名として、「豆腐」、「れんこん」、「きのこ（キノコ）」、「秋刀魚」という文字が強調されたフォア画面Ｇ１を示している。ここでは、冷蔵庫２０内に保管されている量が多い食品の名称の文字の大きさを、当該食品の名称以外の文字の大きさより大きくすることで、食品名を強調している（例えば、図５の「豆腐」や「秋刀魚」を参照）。また、冷蔵庫２０内に保管されている量が少ない食品の名称の文字の大きさを、当該食品の名称以外の文字の大きさより小さくすることで、食品名を強調している（例えば、図５の「れんこん」を参照）。さらに、賞味期限が今日までの食品の名称の文字の色を、当該食品の名称以外の文字の色とは変えて、マルチカラーとすることにより、食品名を強調している（例えば、図５の「豆腐」や「秋刀魚」を参照）。また、賞味期限が明日までの食品の名称の文字の色を、当該食品の名称以外の文字の色とは変えて、白色とすることにより、食品名を強調している（例えば、図５の「きのこ（キノコ）」を参照）。さらに、賞味期限が明後日以降の食品の名称の文字の色を、当該食品の名称以外の文字の色とは変えて、濃い黒色とすることにより、食品名を強調している（例えば、図５の「れんこん」を参照）。
【００２６】
図６及び図７では、冷蔵庫内食品情報に含まれる食品名として、「れんこん」や「きのこ」という文字が強調されたフォア画面Ｇ２，Ｇ３を示している。これによれば、ユーザは、冷蔵庫２０内に「れんこん」と「きのこ」が保管されていることを把握することができる。また、ユーザは、マルチカラーの文字で強調表示されている「れんこん」の賞味期限が今日であることを把握することができる。さらに、ユーザは、白色の文字で強調表示されている「きのこ」の賞味期限が明日であることを把握することができる。また、ユーザは、他の文字の大きさより大きい「きのこ」が冷蔵庫２０内に多量に保管されていることを把握することができる。
【００２７】
このように、冷蔵庫内食品情報に含まれる食品の名称が強調されることで、ユーザは、冷蔵庫２０を見に行かなくても、冷蔵庫２０内の食品の状態を把握することができると共に、冷蔵庫２０内の食品に関連した映像コンテンツを容易に見つけることができるようになる。
【００２８】
なお、映像機器４０は、上記したように冷蔵庫内食品情報を表示画面に反映させるだけでなく、冷蔵庫内食品情報を、元々有している検索機能に反映させることもできる。検索機能とは、例えば図５や図７に示す画面（具体的には、映像コンテンツの録画リストや番組表を示す画面）が表示されている状態で、ユーザによって所定の操作が行われることで、検索窓を画面上に表示させ、この検索窓に検索ワードが入力されることで、入力された検索ワードに関連した映像コンテンツを検索することができる機能である。本実施形態に係る映像機器４０は、冷蔵庫内食品情報を取得すると、当該取得した冷蔵庫内食品情報に含まれる食品名を全て検索ワードとして予め登録する機能を有している。これにより、ユーザは、検索の度に入力インタフェースを利用して検索ワードを入力しなくても、冷蔵庫内食品情報に含まれる食品名であれば、簡単な操作で検索ワードを入力（選択）することができる。なお、上記では、冷蔵庫内食品情報に含まれる全ての食品名を検索ワードとして予め登録するとしたが、検索ワードとして登録したくない除外キーワードを設定する機能があっても良い。これにより、冷蔵庫内食品情報に含まれる食品名のうち、除外キーワードに設定された食品名を検索ワードとして登録することを防ぐことができるようになる。
【００２９】
また、映像機器４０は、上記した検索機能の他に、冷蔵庫内食品情報を、元々有しているフィルタ機能にも反映させることができる。フィルタ機能とは、映像コンテンツのジャンルや、視聴済／未視聴であるかどうかなどに応じて、映像コンテンツの絞り込みを行う機能である。例えば、「視聴済」のタブがユーザによって選択されると、既に視聴した映像コンテンツのリストが画面上に表示される。同様に、「スポーツ」のタブがユーザによって選択されると、スポーツに関連した映像コンテンツのリストが画面上に表示される。本実施形態に係る映像機器４０は、冷蔵庫内食品情報を取得すると、当該取得した冷蔵庫内食品情報に含まれる食品名に関連した映像コンテンツだけがリストとして表示されるタブを追加する機能を有している。これにより、ユーザは、映像コンテンツを選択する際に、冷蔵庫内食品情報に含まれる食品名に関連した映像コンテンツのリストを簡単な操作で画面上に表示させることができる。
【００３０】
さらに、映像機器４０は、上記した検索機能やフィルタ機能の他に、冷蔵庫内食品情報を、元々有しているソート機能にも反映させることができる。ソート機能とは、映像コンテンツのリストの並び順を整理する機能である。例えば、「録画日時順」で映像コンテンツのリストをソートした場合、映像コンテンツのリストは、録画日時が最近の映像コンテンツが上から順に表示されるように整理される。本実施形態に係る映像機器４０は、冷蔵庫内食品情報を取得すると、当該取得した冷蔵庫内食品情報に含まれる食品名に関連した映像コンテンツを映像コンテンツのリストの上から順に表示されるように整理することができるアイコンやタブを追加する機能を有している。これにより、ユーザは、映像コンテンツを選択する際に、冷蔵庫内食品情報に含まれる食品名に関連した映像コンテンツを簡単な操作で映像コンテンツのリストの上から順に表示させることができる。
【００３１】
なお、本実施形態では、冷蔵庫２０内に保管されている食品にフォーカスして、各種処理について説明したが、例えば、冷蔵庫２０内に保管されている食品以外の物品についても、当該物品に関し、上記した冷蔵庫内食品情報に相当する情報を取得することができれば、上記した各種処理を適宜適用することができる。
【００３２】
以上説明した第１の実施形態によれば、映像機器４０は様々な機能に冷蔵庫内食品情報を反映させる構成を備えているので、冷蔵庫と連携することによって、ユーザにとって利便性の高い情報を提供することができる。
【００３３】
＜第２の実施形態＞  
次に、第２の実施形態について説明する。第２の実施形態では、内部ストレージ４１に類語データが予め格納されている場合について説明する。なお、第１の実施形態と同様の機能構成に関する説明は省略し、主に、第１の実施形態とは異なる機能構成について説明する。
【００３４】
図８は、内部ストレージ４１に格納された類語データのデータ構造の一例を示す模式図である。類語データは、図８に示すように、代表表記の項目と、類語の項目とが関連付けられた情報である。代表表記とは、所定の語彙の代表となる表記であり、ここでは、冷蔵庫内食品情報に含まれる食品名の表記がこれに相当する。類語とは、関連付けられた代表表記に類似した語彙或いは関連した語彙を示す。例えば、図８の類語データ６０によれば、代表表記「牛肉」に類似した語彙或いは関連した語彙として「松坂牛」や「オージービーフ」があることが示されている。なお、この類語データは、ネットワークを介して適宜更新される。
【００３５】
内部ストレージ４１に予め類語データが格納されていることによって、映像機器４０は、冷蔵庫内食品情報に含まれる食品名だけでなく、当該食品名に類似した語彙或いは関連した語彙にもフォーカスすることができるようになる。
【００３６】
ここで、図９のフローチャートを参照して、内部ストレージ４１に類語データが予め格納されている場合の、画面作成部４６による画面作成処理について説明する。
【００３７】
始めに、画面作成部４６は、冷蔵庫内食品情報取得部４５から出力された１以上の冷蔵庫内食品情報の入力を受け付けると、当該入力を受け付けた冷蔵庫内食品情報により示される食品の名称を代表表記として含む類語データを内部ストレージ４１から取得する（ブロック２００１）。
【００３８】
続いて、画面作成部４６は、入力を受け付けた１以上の冷蔵庫内食品情報により示される食品の名称のいずれかが、或いは、当該食品の名称を代表表記として含む類語データにおける類語のいずれかが、映像コンテンツ情報処理部４４から出力された映像コンテンツ情報により示されるテキストに含まれているかどうかを判定する（ブロック２００２）。なお、ブロック２００２の判定処理の結果、１以上の冷蔵庫内食品情報により示される食品の名称、或いは、当該食品の名称を代表表記として含む類語データにおける類語のいずれもが、映像コンテンツ情報により示されるテキストに含まれていないと判定された場合（ブロック２００２のＮＯ）、画面作成部４６は、強調すべき語彙はないものと判断する。つまり、画面作成部４６は、通常通り、映像コンテンツ情報を用いてフォア画面を作成し、作成したフォア画面を画面合成部４７に送出して（ブロック２００３）、ここでの処理を終了させる。
【００３９】
一方で、ブロック２００２の判定処理の結果、１以上の冷蔵庫内食品情報により示される食品の名称、或いは、当該食品の名称を代表表記として含む類語データにおける類語のいずれかが、映像コンテンツ情報により示されるテキストに含まれていると判定された場合（ブロック２００２のＹＥＳ）、画面作成部４６は、映像コンテンツ情報により示されるテキストのうち、冷蔵庫内食品情報により示される食品名、及び、当該食品名を代表表記として含む類語データにおける類語を強調したフォア画面を作成し、作成したフォア画面を画面合成部４７に送出して（ブロック２００４）、ここでの処理を終了させる。
【００４０】
図１０は、第２の実施形態に係る映像機器４０により作成されたフォア画面Ｇ４を示す模式図である。図１０に示すように、内部ストレージ４１に冷蔵庫内食品情報と関連付けられた類語データを予め格納しておくことにより、冷蔵庫内食品情報に含まれる食品名「牛肉」だけでなく、「牛肉」という語彙を代表表記として含む類語データにおける類語「松坂牛」や「オージービーフ」も強調して表示させることができるようになる。
【００４１】
以上説明した第２の実施形態によれば、映像機器４０は、冷蔵庫内食品情報と関連付けられた類語データを格納する内部ストレージ４１を備えているので、第１の実施形態にくらべて、冷蔵庫内の食品に関連したより多くの語彙を画面上に強調表示させることができ、ひいては、ユーザにとってより利便性の高い情報を提供することができる。
【００４２】
なお、本実施形態の処理は、コンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００４３】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１０…外部ストレージ、２０…冷蔵庫、３０…サーバ装置、４０…映像機器、４１…内部ストレージ、４２…入力部、４３…映像コンテンツ処理部、４４…映像コンテンツ情報処理部、４５…冷蔵庫内食品情報取得部、４６…画面作成部、４７…画面合成部、４８…表示部。
【図１】
2016133873.tif 000003
【図２】
2016133873.tif 000004
【図３】
2016133873.tif 000005
【図４】
2016133873.tif 000006
【図５】
2016133873.tif 000007
【図６】
2016133873.tif 000008
【図７】
2016133873.tif 000009
【図８】
2016133873.tif 000010
【図９】
2016133873.tif 000011
【図１０】
2016133873.tif 000012